(57)【特許請求の範囲】
【請求項１】
住戸外に引き出された住戸内給水配管の給水端末及び住戸内給湯配管の給湯端末を介して、住戸内給水配管及び住戸内給湯配管に加圧水を供給する水圧テスト工程を実施したのち、
第１の継手を介して、前記給水端末と、住戸外に設置された水道メーターユニットの二次側配管及び前記給湯器の一次側配管とを接続する一方、
第２の継手を介して、前記給湯端末と住戸外に設置された給湯器の二次側配管とを接続する配管施工方法であって、
前記第１の継手に前記給水端末を接続し、前記第２の継手に前記給湯端末を接続するとともに、前記第1の継手の水道メーターユニットの二次側配管が接続される接続口と、第２の継手の給湯器の二次側配管が接続される接続口と、を分離可能に接続して、第１の継手の前記給湯器の一次側配管に接続される接続口から加圧水を供給して水圧テスト工程を実施することを特徴とする配管施工方法。
【請求項２】
第１の継手と第２の継手とが、互いの接続口をその軸方向に非回転状態で分離可能な接続機構を備えている請求項１に記載の配管施工方法。
【請求項３】
水圧テスト工程完了後、第１の継手と、第２の継手とを分離し、第２の継手に給湯端末を接続した状態で、第２の継手を給湯器の二次側配管に接続するとともに、第１の継手に給水端末を接続した状態で、第１の継手を水道メーターユニットの二次側配管に接続する請求項２に記載の配管施工方法。
【請求項４】
水圧テストするにあたり、給水端末の住戸壁面からの長さを住戸外に設置される水道メーターユニットの二次配管の接続端部への接続長さにしておく請求項２または請求項３に記載の配管施工方法。
【請求項５】
給水端末が、第３の継手を介して第１の継手に接続されるとともに、第１の継手と第３の継手とが、互いの接続口をその軸方向に非回転状態で分離可能な接続機構を備えている請求項１〜請求項４のいずれかに記載の配管施工方法。
【請求項６】
給湯端末が、第４の継手を介して第２の継手に接続されるとともに、第２の継手と第４の継手とが、互いの接続口をその軸方向に非回転状態で分離可能な接続機構を備えている継手請求項１〜請求項５のいずれかに記載の配管施工方法。
【発明の詳細な説明】
【技術分野】
【０００１】
住戸内給水配管の給湯端末及び住戸内給水配管の給水端末を、住戸外に設けられた水道メーターユニット及び給湯器に接続する際に用いる配管施工方法に関する。
【背景技術】
【０００２】
従来、以下のような配管施工手順により、集合住宅の各住戸の住戸内給水配管及び住戸内給湯配管と住戸外に設けられた水道メーターユニット（特許文献１参照）及び給湯器とが接続されるようになっている。
（１）図１７に示すように、住戸内給水配管１００及び住戸内給湯配管２００を各住戸内の機器に接続するとともに、住戸内給水配管１００の給水端末１１０及び住戸内給湯配管２００の給湯端末２１０を、メーターボックスＭＢ等の住戸外に引き出した状態にする。
（２）図１８に示すように、メーターボックスＭＢ内に臨んだ給水端末１１０及び給湯端末２１０に、水圧テスト専用の分岐継手３００を介して水圧テスト用ポンプ４００のホース４１０に接続したのち、水圧テスト用ポンプ４００を操作して加圧水を送り込み、住戸内給水配管１００及び住戸内給湯配管２００の施工不良による住戸内での配管と機器との接続部や配管同士の接続部等からの水漏れの有無を確認する。
（３）図１９に示すように、メーターボックスＭＢに水道メーターユニット５００を設置するとともに、水道メーターユニット５００の一次側５１０と給水立て管６００の分岐部６１０とを接続する。また、水道メーターユニット５００の二次側５２０に分岐部７１０を有する第１の継手７００を接続しておく。
（４）図２０に示すように、シンダーコンクリートＣをメーターボックスＭＢの土間に打設して水道メーターユニット５００の脚部５５０をシンダーコンクリートＣ内に埋設する。また、このとき、住戸内給水配管１００及び住戸内給湯配管２００の引き出し孔Ｈも埋設される。
（５）図２１に示すように、メーターボックスＭＢ内に給湯器８００を取り付けるとともに、住戸内給水配管１００及び住戸内給湯配管２００から分岐継手３００を取り外す。
（６）図２２に示すように、第１の継手７００の７１０に住戸内給水配管１００を接続するとともに、給湯器８００の一次側配管８１０とを第１の継手７００を介して接続する。
（７）図２２に示すように、住戸内給湯配管２００の給湯端末２１０と、給湯器８００の二次側配管８２０とを接続する。なお、給湯器８００の二次側配管８２０は、給湯端末２１０と給湯器８００に直接接続される場合あるいは第２の継手を介して接続される場合がある。
（８）図２３に示すように、水道メーターユニット５００の仮配管５３０に代えて水道メーター５４０を取り付ける。
【先行技術文献】
【特許文献】
【０００３】
【特許文献１】特開２００４−２０４４８１号公報
【発明の概要】
【発明が解決しようとする課題】
【０００４】
ところで、多層の集合住宅においては、１日に何戸もの住戸内給湯配管及び住戸内給水配管の水圧テストを実施する必要があるため、水圧テスト作業の迅速化が必要である。
そこで、多数の分岐継手３００を用意し、水圧テストを行う作業者とは、別の作業者が、水圧テストを行う住戸の給水端末１１０及び給湯端末２１０をそれぞれ分岐継手３００に予め接続しておくようにすれば、水圧テストを行う作業者が、１つの住戸の水圧テストが完了すれば、水圧テスト用ポンプ４００のホース４１０と分岐継手３００との接続を解除し、水圧テスト用ポンプ４００をつぎの住戸のメーターボックスＭＢに運び、ホース４１０をつぎの住戸の給水端末１１０及び給湯端末２１０に接続された分岐継手３００に接続し、再び水圧テストを行うという作業を繰り返せば、水圧テストの迅速化を図ることができる。
【０００５】
しかし、分岐継手３００は、水圧テスト完了後には、全く不要となるため、上記のように、多数の分岐継手３００を用意することは無駄であり、施工コスト高になるという問題がある。
【０００６】
本発明は、上記事情に鑑みて、水圧テスト用の分岐継手を別途用意する必要がなく、水圧テストすることができて、施工コストを低減できる配管施工方法を提供することを目的としている。
【課題を解決するための手段】
【０００７】
上記目的を達成するために、本発明にかかる配管施工方法は、住戸外に引き出された住戸内給水配管の給水端末及び住戸内給湯配管の給湯端末を介して、住戸内給水配管及び住戸内給湯配管に加圧水を供給する水圧テスト工程を実施したのち、第１の継手を介して、前記給水端末と、住戸外に設置された水道メーターユニットの二次側配管及び前記給湯器の一次側配管とを接続する一方、第２の継手を介して、前記給湯端末と住戸外に設置された給湯器の二次側配管とを接続する配管施工方法であって、前記第１の継手に前記給水端末を接続し、前記第２の継手に前記給湯端末を接続するとともに、前記第1の継手の水道メーターユニットの二次側配管が接続される接続口と、第２の継手の給湯器の二次側配管が接続される接続口と、を分離可能に接続して、第１の継手の前記給湯器の一次側配管に接続される接続口から加圧水を供給して水圧テスト工程を実施することを特徴としている。
【０００８】
本発明において、住戸内給水配管及び住戸内給水配管は、特に限定されないが、給湯端末あるいは給水端末を備えた本管が、住戸内の床下等に設けられたヘッダー継手等に接続され、分岐管に分岐されたのち、この分岐管が住戸内の機器に接続されることが一般的である。
本発明の配管施工方法において、第１の継手と第２の継手とは、互いの接続口をその軸方向に非回転状態で分離可能な接続機構を備えていることが好ましい。
本発明において、非回転状態で分離可能な接続機構とは、特に限定されないが、例えば、ファスナークリップを用いた接続機構や、積水化学工業社の商品名エスロンペックスヘッダーのような接続機構が挙げられる。
【０００９】
また、本発明の配管施工方法の場合、第１の継手と第２の継手とを、上記のように互い
の接続口をその軸方向に非回転状態で分離可能な接続機構を介して接続できるようにして
おき、水圧テスト工程完了後、第１の継手と、第２の継手とを分離し、第２の継手に給湯
端末を接続した状態で、第２の継手を給湯器の二次側配管に接続するとともに、第１の継
手に給水端末を接続した状態で、第１の継手を水道メーターユニットの二次側配管に接続
することが好ましい。
【００１０】
さらに、本発明の配管施工方法の場合、水圧テストするにあたり、給水端末の住戸壁面からの長さを住戸外に設置される水道メーターユニットの二次配管の接続端部への接続長さにしておくようにしてもよい。
また、給水端末を、第３の継手を介して第１の継手に接続されるとともに、第１の継手と第３の継手とが、互いの接続口をその軸方向に非回転状態で分離可能な接続機構を備えている構成、給湯端末を、第４の継手を介して第２の継手に接続されるとともに、第２の継手と第４の継手とが、互いの接続口をその軸方向に非回転状態で分離可能な接続機構を備えている構成としてもよい。
【００１１】
本発明の施工方法において、住戸内給水配管及び住戸内給湯配管に用いる配管材料としては、特に限定されないが、例えば、架橋ポリエチレン管、ポリブテン管などの樹脂管、アルミニウム等の金属からなる中間層を有し、内層と外層がポリエチレン等の可撓性樹脂で形成された複合管（例えば、積水化学工業社製商品名スーパーエスロメタックス）等が挙げられる。
水圧テスト用ポンプとしては、従来から用いられている市販のものを用いることができる。
【発明の効果】
【００１２】
本発明にかかる配管施工方法は、住戸外に引き出された住戸内給水配管の給水端末及び住戸内給湯配管の給湯端末を介して、住戸内給水配管及び住戸内給湯配管に加圧水を供給する水圧テスト工程を実施したのち、第１の継手を介して、前記給水端末と、住戸外に設置された水道メーターユニットの二次側配管及び前記給湯器の一次側配管とを接続する一方、第２の継手を介して、前記給湯端末と住戸外に設置された給湯器の二次側配管とを接続する配管施工方法であって、前記第１の継手に前記給水端末を接続し、前記第２の継手に前記給湯端末を接続するとともに、前記第1の継手の水道メーターユニットの二次側配管が接続される接続口と、第２の継手の給湯器の二次側配管が接続される接続口と、を分離可能に接続して、第１の継手の前記給湯器の一次側配管に接続される接続口から加圧水を供給して水圧テスト工程を実施するので、水圧テスト用の分岐継手を別途用意する必要がなく、水圧テストすることができて、施工コストを低減できる。
【図面の簡単な説明】
【００１３】
【図１】本発明にかかる配管施工方法の第１の実施の形態の１工程を説明する摸式図である。
【図２】図１の後工程である水圧テスト時の状態を模式的にあらわす説明図である。
【図３】図２の後工程を模式的にあらわす説明図である。
【図４】図３の後工程を模式的にあらわす説明図である。
【図５】図４の後工程を模式的にあらわす説明図である。
【図６】図２の水圧テスト時の各継手、給水端末、給湯端末及び水圧テスト用ポンプのホースを接続した状態を説明する要部正面図である。
【図７】図６の断面図である。
【図８】図２の水圧テスト時に用いる各継手及びファスナークリップを分解して説明する正面図である。
【図９】図４及び図５の状態のチーズの配管接続構造をあらわす断面図である。
【図１０】図４及び図５の状態のエルボの配管接続構造をあらわす断面図である。
【図１１】本発明にかかる配管施工方法の第２の実施の形態であって、その水圧テスト時の配管構造を説明する要部正面図である。
【図１２】図１１の断面図である。
【図１３】図１１の水圧テスト時に用いる各継手を分解して説明する正面図である。
【図１４】図１１〜図１３に示すチーズを本管部の管軸方向からみた図である。
【図１５】図１１〜図１３に示すニップル継手を継手本体の管軸方向からみた図である。
【図１６】本発明にかかる配管施工方法の第２の実施の形態であって、その第1の継手であるチーズの施工完了時の配管構造をあらわす断面図である。
【図１７】従来の配管施工方法の１工程を模式的にあらわす説明図である。
【図１８】図１７の後工程を模式的にあらわす説明図である。
【図１９】図１８の後工程を模式的にあらわす説明図である。
【図２０】図１９の後工程を模式的にあらわす説明図である。
【図２１】図２０の後工程を模式的にあらわす説明図である。
【図２２】図２１の後工程を模式的にあらわす説明図である。
【図２３】図２２の後工程を模式的にあらわす説明図である。
【発明を実施するための形態】
【００１４】
以下に、本発明を、その実施の形態をあらわす図面を参照しつつ詳しく説明する。
図１〜図５は、本発明の配管施工方法の第１の実施の形態をその工程順に模式的にあらわしている。
【００１５】
この配管施工方法は、例えば、以下のようにして施工される。
（１）図１に示すように、従来と同様にして住戸内給水配管１００と住戸内給湯配管２００とを住戸内に配管し、給水端末１１０及び給湯端末２１０を住戸外のメーターボックスＭＢ内に引き出しておく。
【００１６】
（２）図２に示すように、水道メーター位置に取り付けられた水道メーターユニット５００をメーターボックスＭＢの土間（床スラブ面）に設置し、必要に応じてアンカーボルト等で固定する。
なお、水道メーターユニット５００の二次側配管５２０の端部は、図９に示すように、後述するチーズ１ａの差口（ニップル部）１３が嵌合する受口５２１としておくとともに、先端に非回転状態で分離可能な接続機構の一部を構成するフランジ部５２２が外側に張り出し、フランジ部５２２に沿って環状溝５２３が設けられた構造としておく。
この構造は、ネジ接続構造となった既存の水道メーターユニット二次側配管端部に上記の受口５２１、フランジ部５２２及び環状溝５２３を備えた継手を接続して形成するようにしても構わない。
【００１７】
（３）図２に示すように、水道メーターユニット５００の一次側配管５１０と給水立て管６００の分岐部６１０とをバルブ６２０を介在させた状態で連結管６３０を介して接続する。
なお、上記連結管６３０としては、例えば、架橋ポリエチレン管、ポリブテン管、塩化ビニル樹脂管などの樹脂管、アルミニウム等の金属からなる中間層を有し、内層と外層がポリエチレン等の可撓性樹脂で形成された複合管、ライニング鋼管、ステンレス鋼管、ステンレスフレキシブル管などの金属管が用いられる。
【００１８】
（４）図２に示すように、第１の継手であるチーズ１ａと第２の継手であるエルボ２ａとを接続する。
すなわち、チーズ１ａは、図６〜図８に示すように、本管部１１と、この本管部１１の中間部から分岐する分岐部１２と、本管部１１の一端から延出するように設けられた差口１３とを備えている。
本管部１１は、その管軸方向の両端に、外側に張り出して非回転状態で分離可能な接続機構の一部を構成するフランジ部１４，１４を備え、フランジ部１４，１４に沿って環状溝１４ａ，１４ａが設けられている。
本体部１１は、差口１３と反対側の端部が受口１１ｃになっている。
分岐部１２は、本管部１１の受口１１ｃと同じ大きさの受口１２ａになっていて、先端に外側に張り出して非回転状態で分離可能な接続機構の一部を構成するフランジ部１４を備え、フランジ部１４に沿って環状溝１４ａが設けられている。
差口１３は、受口１１ｃに嵌合する大きさをしていて、周囲に設けられた２条の環状溝１３ａにＯリング１３ｂがそれぞれ嵌合されている。
一方、エルボ２ａは、両側が本管部１１の受口１１ｃと同じ大きさの受口２１，２１になっていて、両端に外側に張り出して非回転状態で分離可能な接続機構の一部を構成するフランジ部２２，２２を備え、フランジ部２２，２２に沿って環状溝２２ａ，２２ａが設けられている。
そして、チーズ１ａとエルボ２ａとは、図７に示すように、チーズ１ａの差口１３をエルボ２ａの一方の受口２１に嵌合し、図６及び図７に示すように、フランジ部１４とフランジ部２２がほぼ当接した状態にする。
非回転状態で分離可能な接続機構の残部を構成するファスナークリップ３のクリップ本体３１をチーズ１ａの本管部１１の端部と、エルボ２ａの端部とに跨るように配置して、ハの字形に広がった２つのガイド部（図では片側しかあらわてていない）３１ａを先頭にして本管部１１の中心軸方向にクリップ本体３１を押し込み、両フランジ部１４，２２が係止孔３１ｂ内に嵌り込むまで差し込む。この状態で両フランジ部１４，２２が係止孔３１ｂの内壁面で係止されてチーズ１ａとエルボ２ａとが抜け止め状態で接続される。
両ガイド部３１ａの先端にストッパ３２の係止部３２ａに係止させてクリップ本体３１の脱落を防止する。
なお、クリップ本体３１及びストッパ３２は、ステンレス鋼板などの金属材料を打ち抜き折れ曲げ加工するあるいはエンジニアリングプラスチックの成形品である。
【００１９】
（５）切断等によって、給水端末１１０を、住戸壁面Ｗからの引き出し長さが、水道メーターユニット５００の二次側配管５２０の接続口である受口５２１にほぼ届く長さより少し長い長さになるように調整したのち、給水端末１１０を第３の継手であるワンタッチ継手（例えば、積水化学工業社製商品名エスロカチット  ファスナーオスアダプター）４ａのワンタッチ接続部４１に接続する。
なお、ワンタッチ接続部４１は、図７に示すように、給水端末１１０をワンタッチ接続部４１の所定位置まで挿入すると、内部に設けられた拡径片（図示せず）が管端面で押圧されて離脱し、拡径片によって拡径されていた縮径リング４１ａが縮径して管端部をノズル部４１ｂとの間で締付けて、抜け止めと止水を図れるようになっている。
【００２０】
（６）上記差口１３と同じ形状をしたワンタッチ継手４ａの差口４２を、ワンタッチ継手４ａのフランジ部４３が分岐部１２のフランジ部１４にほぼ当接するまで、分岐部１２の受口１２ａに差し込んだのち、上記と同様にしてファスナークリップ３を用いてワンタッチ継手４ａを抜け止め状態にチーズ１ａの分岐部１２に接続する。すなわち、給水端末１１０を、ワンタッチ継手４ａを介してチーズ１ａの分岐部１２に接続する。
【００２１】
（７）図７に示すように、給湯端末２１０を給水端末１１０と同じ種類の、第４の継手としてのワンタッチ継手４ａのワンタッチ接続部４１にワンタッチ接続するとともに、フランジ部４３がフランジ部２２にほぼ当接するように、エルボ２ａのもう一方の受口２１に差口４２を差し込んだのち、上記と同様にしてファスナークリップ３を用いてワンタッチ継手４ａを抜け止め状態にエルボ２ａに接続する。すなわち、給湯端末２１０を、ワンタッチ継手４ａを介してエルボ２ａに接続する。
【００２２】
（８）既存の水圧テスト用ポンプのホース４１０の先端に設けられた雄ネジ筒４１１にファスナー接続機構を備えた既存のネジ変換ファスナー継手（例えば、積水化学工業社製商品名ファスナーメスネジニップル）５ａの雌ネジ筒部５１をネジ接続する。
そして、フランジ部５３がフランジ部１４にほぼ当接するように、チーズ１ａの受口１１に差口１３と同じ形状をした差口５２を差し込んだのち、上記と同様にしてファスナークリップ３を用いてネジ変換ファスナー継手５ａを抜け止め状態にエルボ２ａに接続する。
すなわち、この状態で水圧テスト用ポンプ４００と、住戸内給水配管１００及び住戸内給湯配管２００とが上記チーズ１ａ及びエルボ２ａを介して連通した状態に接続される。
【００２３】
（９）水圧テスト用ポンプ４００を用いて住戸内給水配管１００及び住戸内給湯配管２００内に加圧水を送り込み、住戸内の配管接続部及び機器からの漏水の有無を調べる。
【００２４】
（１０）水圧テスト完了後、ファスナークリップ３を取り外し、ネジ変換ファスナー継手５ａとチーズ１ａとの接続を解除するとともに、チーズ１ａとエルボ２ａとの接続を解除する。
【００２５】
（１１）図３及び図９に示すように、チーズ１ａの分岐部１２に給水端末１１０を接続した状態で本管部１１の差口１３を水道メーターユニット５００の二次側配管５２０に設けられた受口５２１に、フランジ部１４とフランジ部５２２とがほぼ当接するように嵌合させ、上記と同様にしてファスナークリップ３を装着し、チーズ１ａ及び水道メーターユニット５００の二次側配管５２０を接続固定する。
【００２６】
（１２）図３及び図９に示すように、上記と同じワンタッチ継手４ａのワンタッチ接続部４１に給湯器８００の一次側配管８１０の端末をワンタッチ接続するとともに、ワンタッチ継手４ａの差口４２をチーズ１ａの本管部１１の受口１１ｃに、フランジ部１４とフランジ部４３とがほぼ当接するように嵌合させ、上記と同様にしてファスナークリップ３を装着し、ワンタッチ継手４ａを介して一次側配管８１０をチーズ１ａに接続固定する。
【００２７】
（１３）図４及び図１０に示すように、上記と同じワンタッチ継手４ａのワンタッチ接続部４１に給湯器８００の二次側配管８２０の端末をワンタッチ接続するとともに、ワンタッチ継手４ａの差口４２をエルボ２ａのチーズ２ａの受口２１に、フランジ部１４とランジ部４３とがほぼ当接するように嵌合させ、上記と同様にしてファスナークリップ３を装着し、ワンタッチ継手４ａを介して二次側配管８２０をエルボ２ａに接続固定する。
【００２８】
（１４）図４に示すように、シンダーコンクリートＣをメーターボックスＭＢの土間に打設して水道メーターユニット５００の脚部５５０をシンダーコンクリートＣ内に埋設する。また、このとき、住戸内給水配管１００及び住戸内給湯配管２００の引き出し孔Ｈも埋設される。
【００２９】
（１５）図５に示すように、上記施工完了後、水道メーターユニット５００の仮配管５３０を、水道メーター５４０に交換する。
【００３０】
なお、上記（６）〜（８）の工程は、順序を入れ替えても同時に行うようにしても構わない。
また、（１１）〜（１４）の工程は、順序を入れ替えても同時に行うようにしても構わない。
【００３１】
この配管施工方法は、上記のように、従来水圧テスト時に用いられていた専用の分岐継手３００を用いず、チーズ１ａ及び住戸内給水配管１００の給水端末１１０と、水道メーターユニット５００の二次側配管５２０及び給湯器８００の一次側配管８１０とを接続するのに用いられるチーズ１ａ、及び、住戸内給湯配管２００の給湯端末２１０と給湯器８００の二次側配管８２０とを接続するのに用いられるエルボ２ａを用いて水圧テストを実施するようにしたので、分岐継手３００が不要になり、施工コストを低減することができる。
【００３２】
しかも、エルボ２ａとチーズ１ａとがファスナー接続されるようになっている、つまり、チーズ１ａの本管部１１をその管軸回りに非回転状態で、エルボ２ａとチーズ１ａとの接続及び解除を行うことができるので、水圧テスト時にエルボ２ａに接続された給湯端末２１０及びチーズ１ａに接続された給水端末１１０の接続を解除することなく、チーズ１ａと水道メーターユニット５００の二次側配管５２０及び給湯器８００の一次側配管８１０とに接続できるとともに、エルボ２ａと給湯器８００の二次側配管８２０とを接続できる。
すなわち、施工工数を少なくすることができる。
【００３３】
また、水圧テストに先立ち、予め給水端末１１０を、住戸壁面Wからの引き出し長さを、水道メーターユニット５００の二次側配管５２０の受口５２１にほぼ届く長さより少し長い長さになるように調整しておくようにしたので、水圧テスト完了後、チーズ１ａとエルボ２ａとの接続を解除し、差口１３を二次側配管５２０の受口５２１に上方から差し込むようにすれば、給水端末１１０の下端部がシンダーコンクリートＣに埋まっていて自由度が少なくても、改めて給水端末１１０の長さ調整を行う必要がない。
したがって、チーズ１ａと二次側配管５２０とを容易に接続できる。
【００３４】
さらに、上記（１）〜（７）の施工工程を同じ階の他の住戸においても並行して実施しておくようにすれば、水圧テスト用ポンプ４００を各階に最小必要台数用意し、水圧テストがすめば、次の住戸に水圧テスト用ポンプ４００をつぎつぎに運んで水圧テストを迅速に順次実施することができる。
すなわち、水圧テスト用ポンプ４００を多数用意しなくても、配管施工を迅速に行うことができる。
【００３５】
また、ファスナー接続可能なワンタッチ継手４ａを介して、給水端末１１０をチーズ１ａに、給湯端末２１０をエルボ２ａに接続するようにしたので、例えば、住戸内給水配管１００あるいは住戸内給湯配管２００を交換する必要が生じた場合においても交換作業を容易に行うことができるとともに、チーズ１ａ及びエスボ２ａを交換することなく再び水圧テストを実施することができる。
【００３６】
図１１及び図１２は、本発明の配管施工方法の第２の実施の形態であって、その水圧テスト時の配管構造をあらわしている。-
すなわち、この配管施工方法は、図１１及び図１２に示すように、第１の継手として積水化学工業社の商品名エスロンペックスヘッダーのような接続機構を備えたチーズ１ｂが用いられ、第２の継手として積水化学工業社の商品名エスロンペックスヘッダーのような接続機構を備えたエルボ２ｂを用いる。
【００３７】
すなわち、チーズ１ｂは、本管部１５の両端及び分岐部１６の先端に、筒内が後述する両ニップル継手６の差口（ニップル部）６１が嵌合される受口１７ａになっている雄ネジ筒部１７を備えている。
雄ネジ筒部１７は、二条ネジ構造となっている。
【００３８】
また、本管部１５及び分岐部１６は、図１３及び図１４に示すように、上記雄ネジ筒部１７の基端部にフランジ部１８をそれぞれ備えている。
フランジ部１８は、楕円形をしたフランジ本体部１８ａと、対称位置に対称形状に設けられた２つの係止突部１８ｂとを備えている。
【００３９】
係止突部１８ｂは、雄ネジ筒部１７の後述するニップル継手６の袋ナット部６２へのネジ込み方向と逆方向（図１４において時計回り方向）に向かう係止面１８ｃをフランジ本体部１８ａの楕円の長軸から略４５度ずれた位置に有している。
また、係止突部１８ｂは、係止面１８ｃの先端（フランジ本体部１８ａの中心軸から遠い側）から雄ネジ筒部１７のネジ込み方向（図１４において反時計回り方向）に向かって徐々にフランジ本体部１８ａに近づき、終端でフランジ本体部１８ａに面一となるように設けられたテーパ面１８ｄを備えている。
【００４０】
エルボ２ｂは、図１２に示すように、両端に上記雄ネジ筒部１７と同じ形状の雄ネジ筒部２５と、フランジ部２６とを備えている。
【００４１】
そして、チーズ１ｂとエルボ２ｂとは、チーズ１ｂに、本管部１５の管軸回りに回転を加えることなく、非回転状態で分離可能な接続機構の一部を構成するニップル継手６を介して接続されるとともに、接続が解除される。
すなわち、ニップル継手６は、継手本体６１と、２つの袋ナット部６２とを備えている。
【００４２】
継手本体６１は、図１２及び図１３に示すように、両側に差口６３を備えた両ニップル形状をしている。
差口６３は、図１２に示すように、受口１７ａに嵌合する大きさをしていて、周囲に設けられた１条の環状溝６３ａにＯリング６３ｂがそれぞれ嵌合されている。
【００４３】
袋ナット部６２は、図１１〜図１３及び図１５に示すように、袋ナット本体部６６と、２つの回り止め部６７とを備えている。
袋ナット本体部６６は、図１５に示すように、雌ネジ筒部６６ａを備え、雌ネジ筒部６６ａの開口端が差口６３の先端を向くように継手本体６１に、離脱不能かつ回転自在に装着されている。
【００４４】
雌ネジ筒部６６ａは、図１５に示すように、始端が１８０度ずれて設けられた２条の螺旋溝がそれぞれ略１ピッチ（３６０度）ずつの内周面に設けられ、雄ネジ筒部１７がこの螺旋溝に螺合可能になっている。
２つの回り止め部６７は、袋ナット本体部６６の中心軸を対称中心として点対称に設けられていて、可動部６７ａと、延出部６７ｂとを備えている。
【００４５】
可動部６７ａは、袋ナット本体部６６の外周面より少し大径の内径をした円弧状をしていて、一端が袋ナット本体部６６の壁面に袋ナット本体部６６の外壁面と同心円状になるように固定されている。また、可動部６７ａは、無負荷状態では、袋ナット本体部６６の外壁面との間にほぼ均等な幅の隙間が形成されるとともに、袋ナット本体部６６の半径方向に力を受けると固定部を中心に力の加わった方向に弾性変形するようになっている。
延出部６７ｂは、可動部６７ａの開放端から袋ナット本体部６６の中心軸に平行かつ袋ナット本体部６６の端縁から外側に延出するように設けられている。
【００４６】
そして、このニップル継手６は、図１２に示すように、一方の差口６３をチーズ１ｂの本管部１５の一方の受口１７ａに嵌合し、袋ナット部６６を雄ネジ筒部１７に締め込むことによってチーズ１ｂの本管部１５をその管軸回りに非回転状態に保ちながらチーズ１ｂに接続固定できる。
すなわち、袋ナット部６６を締め込んでいくと、雌ネジ筒部６６ａが雄ネジ筒部１７に螺合されていくとともに、延出部６７ｂがテーパ面１８ｄに沿って回転し、可動部６７ａが外側に向かって弾性変形していき、延出部６７ｂが係止突部１８ｂを乗り越えると、可動部６７ａが弾性復元力によって、管軸方向に戻り、延出部６７ｂが、係止面１８ｃに係止され、チーズ１ｂとニップル継手６とが接続固定される。
【００４７】
一方、上記のように接続状態にあるニップル継手６は、延出部６７ｂを外側に押し広げつつ、袋ナット部６６を雄ネジ筒部１７と雌ネジ筒部６６ａの螺旋溝との螺合を解除する方向に回転すれば、雄ネジ筒部１７と雌ネジ筒部６６ａの螺旋溝との螺合を解除できる。
そして、上記解除後、ニップル継手６をチーズ１ｂの受口１７ａから遠ざかるように差口６３の管軸方向に引き抜くようにすれば、ニップル継手６をチーズ１ｂからチーズ１ｂの本管部１５の管軸回りに非回転状態に保ちながら離脱させることができる。すなわち、チーズ１ｂは、その本管部１５の管軸回りに回転することがない。
【００４８】
また、ニップル継手６は、図１２に示すように、他方の差口６３をエルボ２ｂの受口２５ａに嵌合させ、他方の袋ナット部６６を雄ネジ筒部２５に螺合させることによって、チーズ１ｂと同様にしてエルボ２ｂに接続固定でき、延出部６７ｂを外側に押し広げつつ、袋ナット部６６を雄ネジ筒部１７と雌ネジ筒部６６ａの螺旋溝との螺合を解除する方向に回転すれば、エルボ２ｂから離脱させることができる。
【００４９】
そして、この実施の形態の配管施工方法において、水圧テスト実施時には、図１１及び図１２に示すように、ニップル継手６を介してチーズ１ｂとエルボ２ｂとを接続したのち、給水端末１１０が第３の継手としてのワンタッチ継手４ｂを介してチーズ１ｂの分岐部１６に接続され、給湯端末２１０が第４の継手としてのワンタッチ継手４ｂを介してエルボ２ｂに接続され、水圧テスト用ポンプ４００のホース４１０がネジ変換継手５ｂを介してチーズ１ｂの本管部１５に接続される。
すなわち、ワンタッチ継手４ｂは、継手本体４５と、上記袋ナット部６６と同じ構造の袋ナット部４６とを備えている。
継手本体４５は、上記ワンタッチ継手４ａと同様の構造をしたワンタッチ接続部４７と、上記差口６３と同様の構造をした差口４８とを備えている。
【００５０】
そして、給水端末１１０は、ワンタッチ接続部４７にワンタッチ接続したのち、差口４８を分岐部１６の受口１７ａに嵌合させたのち、袋ナット部４６を締め込み方向に回転させることによって、ワンタッチ継手４ｂを介してチーズ１ｂの分岐部１６に接続される。
給湯端末２１は、ワンタッチ接続部４７にワンタッチ接続したのち、差口４８をエルボ２ｂの他方の受口２５ａに嵌合させたのち、袋ナット部４６を締め込み方向に回転させることによって、ワンタッチ継手４ｂを介してエルボ２ｂに接続される。
【００５１】
一方、ネジ変換継手５ｂは、継手本体５５と、上記袋ナット部６６と同じ構造の袋ナット部５６とを備えている。
継手本体５５は、雌ネジ筒部５７と、差口６３と同様の構造をした差口５８とを備えている。
そして、ホース４１０は、その先端の雄ネジ筒部４１１を雌ネジ筒部５７にネジ接続した状態で、差口５８をチーズ１ｂの本管部１５の他方の受口１７ａに嵌合させたのち、袋ナット部４６を締め込み方向に回転させることによって、チーズ１ｂに接続される。
【００５２】
この配管施工方法は、図１１及び図１２に示す配管構造にして、上記の第１の実施の形態と同様にして水圧テストを実施し、水圧テスト完了後、図１６に示すように、ニップル継手６を取り外し、チーズ１ｂとエルボ２ｂとの接続を解除するとともに、ネジ変換継手５ｂをチーズ１ｂから取り外す。
また、既存の水道メーターユニットの二次側配管５２０の先端に設けられた雄ネジ筒部５２４には、上記ネジ変換継手５ｂと同形状のネジ変換継手５ｃをその差口５８側が上側を向くようにネジ接続する。
【００５３】
そして、上記のようにニップル継手６との接続を解除したチーズ１ｂのニップル継手６と接続されていた側の受口１７ａに上記ネジ変換継手５ｃの差口５８が嵌合されたのち、ネジ変換継手５ｃの雌ネジ筒部５６を締め込み方向に回転させて、ネジ変換継手５ｃとチーズ１ｂとが接続されることによって、図１６に示すように、チーズ１ｂが水道メーターユニットの二次側配管５２０に接続固定される。
また、チーズ１ｂの、ネジ変換継手５ｂとの接続が解除された側の受口２７ａには、図１６に示すように、ワンタッチ継手４ｂを介して給湯器８００の一次側配管８１０が接続固定される。
さらに、図示していないが、エルボ２ｂのニップル継手６が接続されていた受口２５ａには、ワンタッチ継手４ｂを介して給湯器８００の二次側配管８２０が接続固定される。
【００５４】
本発明にかかる施工方法は、上記の実施の形態に限定されない。例えば、上記の実施の形態では、水圧テストを実施する前に水道メーターユニットがメーターボックス内の所定位置に固定されていたが、水道メーターユニットは水圧テストの実施後に設置してもよい。
上記の実施の形態では、給水端末、給湯端末、給湯器の一次側配管及び給湯器の二次側配管がそれぞれワンタッチ接続部を有する継手を介してエルボあるいはチーズに接続されていたが、ワンタッチ接続部を有する継手に代えてかしめ接続構造の有する継手を用いても構わない。
【００５５】
上記の実施の形態では、第１の継手であるチーズと第２の継手であるエルボとが、互いの接続口をその軸方向に非回転状態で分離可能な接続機構を備えていたが、第１の継手と第２の継手とを分離する際、第１の継手と水道メーターユニットと接続する際、第２の継手と給湯器の二次側配管とを接続する際、及び、第１の継手と給湯器の一次側配管とを接続する際に、水圧テスト完了後、一旦、給水端末を第１の継手から分離しておき、給湯端末を第２の継手から分離しておくような方法を採れば、第１の継手と第２の継手との接続構造は、ネジ接続構造としても構わない。
【符号の説明】
【００５６】
１ａ，１ｂ  チーズ（第１の継手）
１１，１５  本管部
１２，１６  分岐部
１３  差口（接続口）
１４  フランジ部（非回転状態で分離可能な接続機構）
１７  雄ねじ筒部
１８  フランジ部
１１ｃ  受口（接続口）
２ａ，２ｂ  エルボ（第２の継手）
２２  フランジ部（非回転状態で分離可能な接続機構）
２５ａ  受口（接続口）
３  ファスナークリップ（非回転状態で分離可能な接続機構）
３１  クリップ本体
３２  ストッパ
４ａ  （第３の継手あるいは第４の継手）
４ｂ  （第３の継手あるいは第４の継手）
４３  フランジ部（非回転状態で分離可能な接続機構）
４６  雌ねじ筒部（非回転状態で分離可能な接続機構
５ａ  ネジ変換ファスナー継手
５ｂ  ネジ変換ファスナー継手
５３  フランジ部（非回転状態で分離可能な接続機構）
５６  雌ねじ筒部（非回転状態で分離可能な接続機構）
６  ニップル継手（非回転状態で分離可能な接続機構）
６１  継手本体
６２  雌ねじ筒部（非回転状態で分離可能な接続機構）
６３  差口
１００  住戸内給水配管
１１０  給水端末
２００  住戸内給湯配管
２１０  給湯端末
４００  水圧テスト用ポンプ
５００  水道メーターユニット
５２０  二次側配管（水道メーターユニットの二次側配管）
８００  給湯器
８１０  一次側配管（給湯器８００の一次側配管）
８２０  二次側配管（給湯器８００の二次側配管）
ＭＢ  メーターボックス（住戸外）
Ｗ  住戸壁面
【図１】
0005719180.tif 000002
【図２】
0005719180.tif 000003
【図３】
0005719180.tif 000004
【図４】
0005719180.tif 000005
【図５】
0005719180.tif 000006
【図６】
0005719180.tif 000007
【図７】
0005719180.tif 000008
【図８】
0005719180.tif 000009
【図９】
0005719180.tif 000010
【図１０】
0005719180.tif 000011
【図１１】
0005719180.tif 000012
【図１２】
0005719180.tif 000013
【図１３】
0005719180.tif 000014
【図１４】
0005719180.tif 000015
【図１５】
0005719180.tif 000016
【図１６】
0005719180.tif 000017
【図１７】
0005719180.tif 000018
【図１８】
0005719180.tif 000019
【図１９】
0005719180.tif 000020
【図２０】
0005719180.tif 000021
【図２１】
0005719180.tif 000022
【図２２】
0005719180.tif 000023
【図２３】
0005719180.tif 000024